【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  ある日時にある位置から天体を観測する装置において、
ａ．方位角と天底角によって規定される観測軸に沿って観察する観測手段、
ｂ．プロセッサ、
ｃ．前記方位角を示す方位データを前記プロセッサに与える３軸磁気センサ、
ｄ．前記天底角を示す天底データを前記プロセッサに与える３軸重力センサ、
ｅ．位置を示す位置データを前記プロセッサに与える位置決定手段、
ｆ．時刻と日付を示す日時データを前記プロセッサに与える計時手段、
ｇ．前記プロセッサによってアクセスされてデータを与えるデータベースからなり、
前記プロセッサは、前記方位データ、天底データ、位置データおよび日時データに基づいて、観測軸に対応する赤径と赤緯の天体座標を決定する天体観測装置。
【請求項２】  前記観測手段は、ユーザが観測軸に沿った装置を通して観測できるようにした観測チャンネルを有する請求項１に記載の装置。
【請求項３】  観測軸の角度方位を変更する方向を知らせる方向指示手段をさらに有し、該方向指示手段は、前記プロセッサによって制御され、視覚的指示手段、聴覚的指示手段または触覚的指示手段を含む請求項２に記載の装置。
【請求項４】  観測軸の角度方位を変更する方向を知らせる方向指示手段をさらに有し、該方向指示手段は、
ａ．前記プロセッサによって制御され、
ｂ．ユーザが前記観測チャンネルを通して観測するときにユーザが見ることができる照明可能な表示装置からなり、
ｃ．前記表示装置の少なくとも一部を照明し、該照明された表示装置に基づいてユーザが観測軸を変更できるようにする請求項２に記載の装置。
【請求項５】  前記表示装置は円形に配置された一連の照明可能な矢印であり、前記プロセッサは前記矢印の照明すべき少なくとも一部を指示する請求項４に記載の装置。
【請求項６】  ユーザが前記観測チャンネルを通して観測するときにユーザが見ることができる網線をさらに有する請求項４に記載の装置。
【請求項７】  前記観測手段は、観測軸に沿って観測される画像を表示する表示画面を有する請求項１に記載の装置。
【請求項８】  観測軸の角度方位を変更する方向を知らせる方向指示手段をさらに有し、該方向指示手段は、前記プロセッサによって制御され、視覚的指示手段、聴覚的指示手段または触覚的指示手段を含む請求項７に記載の装置。
【請求項９】  前記装置はハウジングを有し、前記観測手段は前記ハウジングを通して延びる観測チャンネルを有し、ユーザが観測軸に沿った前記観測チャンネルを通して観測できるようにした請求項１に記載の装置。
【請求項１０】  前記プロセッサは前記ハウジングから離れて配置されている請求項９に記載の装置。
【請求項１１】  前記ハウジングは、ユーザが前記観測チャンネルを通して観測している間にユーザによって保持される請求項９に記載の装置。
【請求項１２】  観測軸の角度方位を変更する方向を知らせる方向指示手段をさらに有し、該方向指示手段は、前記プロセッサによって制御され、視覚的指示手段、聴覚的指示手段または触覚的指示手段を含む請求項１に記載の装置。
【請求項１３】  前記装置において、
ａ．ユーザが天体の識別または天体座標を前記プロセッサに入力するユーザインターフェースをさらに有し、
ｂ．前記プロセッサは、観測軸が天体または天体座標と一致するように、
前記方向指示手段を介してユーザに観測軸の角度方位を変更するよう指示し、
前記データベースは、天体の識別を天体の天体座標と関連させるデータからなる請求項１２に記載の装置。
【請求項１４】  前記プロセッサは、観測軸が天体または天体座標と一致していることを前記方向指示手段を介してユーザに知らせる請求項１３に記載の装置。
【請求項１５】  前記装置において、
ａ．前記ユーザインターフェースは、ユーザが多数の天体座標からなる天体の識別を入力するようにされ、
ｂ．前記プロセッサは、観測軸が天体の多数の天体座標と一致するように、
前記方向指示手段を介してユーザに観測軸の角度方位を変更するよう指示し、これにより、ユーザに天体のツアーを提供する請求項１３に記載の装置。
【請求項１６】  前記インターフェースは、ユーザが信号を前記プロセッサに入力すると、前記方向指示手段を介してユーザに現在の天体座標から次の多数の天体座標に観測軸の角度方位を変更するように指示する請求項１５に記載の装置。
【請求項１７】  前記装置において、
ａ．ユーザが前記プロセッサに信号を送ると、観測軸と一致された天体または天体座標を識別するユーザインターフェースをさらに有し、
前記プロセッサは、天体または天体座標に関係したデータを求めて前記データベースにアクセスするようにされ、
ｂ．前記ユーザインターフェースは、さらに天体または天体座標をユーザに知らせるようにされている請求項１に記載の装置。
【請求項１８】  前記ユーザインターフェースは、
ａ．ユーザが手動スイッチの押圧または聴覚的指令により前記プロセッサに信号を送り、
ｂ．前記プロセッサが表示装置またはスピーカを介してユーザに知らせるようにされている請求項１７に記載の装置。
【請求項１９】  前記データベースは、
ａ．ユーザが、前記プロセッサと機能的に通信する前記装置のユーザインターフェースを介して、前記データベースを編集し、
ｂ．プラグインモジュールを前記プロセッサと機能的に通信させ、または
ｃ．情報交換システムを前記前記プロセッサと機能的に通信させる
ことで変更される請求項１に記載の装置。
【請求項２０】  前記位置決定手段は、ユーザが位置情報を前記プロセッサに入力するようにされたユーザインターフェースからなり、
前記データベースは、入力された位置情報に基づいて前記プロセッサに位置情報を与えるようにされている請求項１に記載の装置。
【請求項２１】  前記計時手段は、日時データを前記プロセッサに与えるようにされた計時装置からなる請求項１に記載の装置。
【請求項２２】  前記位置決定手段と前記計時手段は、位置データと日時データを前記プロセッサに与えるようにされた全地球位置把握装置を有する請求項１に記載の装置。              
【請求項２３】  観測軸の仰角を知らせる出力装置をさらに有し、該仰角は天底角マイナス９０度である請求項１に記載の装置。
【請求項２４】  方位角と天底角の関数としてコンパス方向（compass  heading）を知らせる出力装置をさらに有する請求項１に記載の装置。
【請求項２５】  前記プロセッサによって読み取り可能な補正指令、および／または、前記データベース内の補正データをさらに有し、
前記プロセッサは、歳差運動（procession）、地球の伸び（elongation）、磁気偏差、視差、章動（nutation）、またはこれらの組み合わせを補正する請求項１に記載の装置。
【請求項２６】  前記プロセッサとインターフェースを取り、該プロセッサに前記磁気センサと重力センサの温度誤差補正を行わせる温度センサをさらに有する請求項１に記載の装置。
【請求項２７】  前記請求項１の装置において、
ａ．前記データベースは、天体がその位置で肉眼で見えるときを示す追加のデータを有し、
ｂ．前記装置は、前記プロセッサに機能的に接続された報知装置をさらに有し、
ｃ．前記プロセッサは、天体がその位置で肉眼でユーザに見えるときを示す前記追加のデータを前記報知装置を介して知らせる請求項１に記載の装置。
【請求項２８】  ある日時にある位置から使用する天体位置確認装置において、
ａ．観測チャンネルからなり、該観測チャンネルは、それを通してユーザが観測軸と一致する天空のある位置に向けて当該観測軸に沿って観測するようにされたハウジング、
ｂ．プロセッサ、
ｃ．前記観測軸の方位角を示す方位データを前記プロセッサに与える３軸磁気センサ、
ｄ．前記観測軸の天底角を示す天底データを前記プロセッサに与える３軸重力センサ、
ｅ．前記天体位置確認装置の位置を示す位置データを前記プロセッサに与える位置データ入力装置、
ｆ．前記天体位置確認装置を使用する時間と日付を示す日時データを前記プロセッサに与える日時データ入力装置、
ｇ．ユーザデータを前記プロセッサに入力し、情報をユーザに知らせるユーザインターフェース、
ｈ．それを通して前記プロセッサが観測軸の角度方位を変更する方向をユーザに知らせる方向指示手段、
ｉ．ユーザによってアクセスされ、前記プロセッサが、前記方位データ、天底データ、位置データおよび日時データ、ユーザデータ、およびデータベースに基づいて、
i）前記ユーザインターフェースを通して、観測軸と一致した天体の識別、
ii）前記ユーザインターフェースを通して、観測軸と一致した天体座標、または
iii）前記方向指示手段を通して、ユーザが天体の識別または天体座標からなるユーザデータに基づき観測軸を変更する方向
をユーザに知らせるようにされたデータベース
とからなる天体位置確認装置。
【請求項２９】  前記プロセッサは、前記ハウジングから離れて配置されている請求項２８に記載の天体位置確認装置。
【請求項３０】  前記方向指示手段は、前記プロセッサと機能的に通信する円形に配置された一連の照明可能な矢印からなり、
該矢印は、該照明された矢印が前記観測チャンネルを通して観測するユーザに見えるようにされ、
前記方向指示手段と前記プロセッサは、矢印の少なくとも一部を照明するようにされ、これにより、ユーザが照明された一部の矢印に基づいて観測軸の角度方位を変更するようにした請求項２８に記載の天体位置確認装置。
【請求項３１】  前記データベースは、
ａ．ユーザが、前記ユーザインターフェースを介して、前記データベースを編集し、
ｂ．プラグインモジュールを前記プロセッサと機能的に通信させ、または
ｃ．情報交換システムを前記前記プロセッサと機能的に通信させる
ことで変更される請求項２８に記載の天体位置確認装置。
【請求項３２】  天体を観測する方法において、
ａ．観測軸に沿って天体を観測する装置をユーザに提供し、
ｂ．方位角を決定するようにされた３軸磁気センサを介して観測軸の方位角を識別し、
ｃ．天底角を決定するようにされた２軸重力センサを介して観測軸の天低角を識別し、
ｄ．前記方位角、前記天底角、装置の位置および現在時刻と日付に基づいて赤経と赤緯の天体座標を決定する
ステップからなる天体観測方法。
【請求項３３】  前記装置をユーザに提供するステップは、前記装置、前記３軸磁気センサ、および前記３軸重力センサをユーザの手に保持させるステップをさらに有する請求項３２に記載の方法。
【請求項３４】  前記３軸磁気センサと前記３軸重力センサは前記装置に一体である請求項３３に記載の方法。
【請求項３５】  前記方位角、天底角、装置位置および現在日時を示すデータを受信するように前記プロセッサに指示し、データベースを調査し、天体座標を報知装置を介して知らせる請求項３２に記載の方法。
【請求項３６】  前記方法は、さらに、
ａ．希望する天体の識別をプロセッサに入力し、該プロセッサに前記天体座標を決定するステップを実行するよう指示し、
ｂ．希望の天体が観測軸と一致するまで観測軸の角度方位を変更する方法に関するユーザに理解可能な指令を、方向指示手段を介して、知らせるよう前記プロセッサに指示する
ステップをさらに有する請求項３２に記載の方法。
【請求項３７】  前記プロセッサに知らせるよう指示するステップを繰り返すステップをさらに有し、
これにより、ユーザに希望する天体の一部を通ってツアーするよう指示する請求項３６に記載の方法。
【請求項３８】  前記方法は、さらに、
ａ．希望する天体座標をプロセッサに入力し、前記プロセッサに前記天体座標を決定するステップを実行するよう指示し、
ｂ．希望の天体座標が観測軸と一致するまで観測軸の角度方位を変更する方法に関する情報を、方向指示手段を介して、知らせるよう前記プロセッサに指示する
ステップをさらに有する請求項３２に記載の方法。
【請求項３９】  天体を観測する方法において、
ａ．前記請求項１２に記載の装置を提供し、
ｂ．前記データベースを天体に関する追加データと更新し、装置のユーザは、観測軸が方向指示手段を介して天体と一致するように観測軸の角度方位を変更する方向を知らせるようプロセッサに指示する
ステップからなる天体観測方法。
【請求項４０】  前記更新ステップは、前記追加データからなるプラグインモジュールを前記装置に機能的に接続するステップ、または前記追加のデータを情報変換システムを介して前記データベースにダウンロードするステップからなる請求項３９に記載の方法。
【請求項４１】  前記ダウンロードするステップは、インターネットにアクセスして前記追加データを検索するステップからなる請求項４０に記載の方法。
【請求項４２】  前記アクセスするステップは、前記追加データを購入するステップからなる請求項４１に記載の方法。
【請求項４３】  地球上の特定の位置にあってある日時に物体を観測する装置において、
観測軸を有する物体観測手段、
プロセッサ、
前記物体観測手段に接続され、前記観測軸の方位を示す方位データを前記プロセッサに与える、記装置の方位を決定する手段、
地上の装置の位置を示す位置データを前記プロセッサに与える手段、
日時を示す日時データを前記プロセッサに与える手段、及び
前記プロセッサに接続され、特定の観測軸方位で特定の日時に地上の特定の位置から観察したときの複数の物体の各々に関する少なくとも１つの事実を示すデータと前記複数の物体の各々の位置を示すデータとを含有するデータベース、からなる物体観測装置。
【請求項４４】  前記プロセッサは、方位データ、位置データ、時間データ、及び日付データが特定の物体のデータベースデータと合致したとき、物体に関する少なくとも事実を与えることができる請求項４３に記載の装置。
【請求項４５】  前記プロセッサは、方位データに関する入力に応答し、前記データベースから関連情報を検索し、前記関連情報をスピーカに伝送するようにプログラムされている請求項４３に記載の装置。
【請求項４６】  前記プロセッサは、方位データに関する入力に応答し、前記データベースから関連情報を検索し、前記関連情報を視覚的表示装置に伝送するようにプログラムされている請求項４３に記載の装置。
【請求項４７】  前記少なくとも１つの事実は物体の名称である請求項４４に記載の装置。
【請求項４８】  前記プロセッサに接続され、音声データを実行するスピーカをさらに有し、
前記データベースは、前記少なくとも１つの事実を示す音声データを含有し、
前記プロセッサは前記音声データを前記スピーカに提供し、ユーザが前記少なくとも１つの事実の再生音声を聞くことができるようにした請求項４４に記載の装置。
【請求項４９】  前記物体観測手段の内部に配置され、前記プロセッサに接続された方向指示装置をさらに有し、
前記方向指示装置は、前記データベース内の複数の物体から選択された特定の物体に向かって観測軸を定位するために、前記物体観測手段が移動しなければならない方向を示すように動作する請求項４３に記載の装置。
【請求項５０】  前記プロセッサに接続され、音声データを実行するスピーカをさらに有し、
前記データベースは、前記少なくとも１つの事実を示す音声データを含有し、
前記プロセッサは前記音声データを前記スピーカに提供し、ユーザが前記少なくとも１つの事実の再生音声を聞くことができるようにした請求項４９に記載の装置。
【請求項５１】  ある日時にある位置から観測する装置において、
方位角と天底角によって規定される観測軸に沿って観測する観測手段、
プロセッサ、
前記観測手段と前記プロセッサに接続され、前記プロセッサに前記観測軸の方位の変化を示すデータを提供し、前記プロセッサが前記観測軸の方位の変化を示すデータを使用して方位角を示す方位データと天底角を示す天底データを計算するようにした、少なくとも２つのジャイロスコープ、
前記プロセッサに位置を示す位置データを与える位置手段、
前記プロセッサに日時を示す日時データを与える時間手段、及び
前記プロセッサによりアクセスされて、前記プロセッサが前記方位データ、天底データ、位置データ及び日時データに基づいて前記観測軸に対応する赤径と赤緯の天体座標を決定するようにデータを与えるデータベース、からなる観測装置。
【請求項５２】  前記プロセッサに接続され、音声データを実行するスピーカをさらに有し、
前記データベースは、前記観測軸が指し示す物体に関する前記少なくとも１つの事実を示す音声データを含有し、
前記プロセッサは前記音声データを前記スピーカに提供し、ユーザが前記少なくとも１つの事実の再生音声を聞くことができるようにした請求項５１に記載の装置。
【請求項５３】  ある日時にある位置から観測する装置において、
方位角と天底角によって規定される観測軸に沿って観測する観測手段、
プロセッサ、
前記観測手段と前記プロセッサに接続された少なくとも２つの全地球測位衛星システムリーダであって、前記プロセッサが前記リーダのお互いに対する方位を決定し、該リーダのお互いに対する方位を使用して、方位角を示す方位データと天底角を示す天底データを計算するようにしたリーダ、
前記プロセッサに位置を示す位置データを与える位置手段、
前記プロセッサに日時を示す日時データを与える時間手段、
前記プロセッサによりアクセスされて、前記プロセッサが前記方位データ、天底データ、位置データ及び日時データに基づいて前記観測軸に対応する赤径と赤緯の天体座標を決定するようにデータを与えるデータベース、からなる観測装置。
【請求項５４】  前記プロセッサに接続され、音声データを実行するスピーカをさらに有し、
前記データベースは、前記観測軸が指し示す物体に関する前記少なくとも１つの事実を示す音声データを含有し、
前記プロセッサは前記音声データを前記スピーカに提供し、ユーザが前記少なくとも１つの事実の再生音声を聞くことができるようにした請求項５３に記載の装置。